(57)【特許請求の範囲】
【請求項１】
建具枠を建物躯体の室外側面に固着して取付ける建具であって、
前記建物躯体の開口部の下内面に、建物躯体の室外側面よりも室外側に突出する上向きの規制部を有した施工治具を固着し、
前記建具枠の下枠は、建物躯体の室外側面における開口部よりも下方に接する取付片と、この取付片よりも上方で取付片よりも室外側寄りに位置し、前記規制部によって室外側への移動が規制される下向きの被規制部を有し、且つ、下枠とは別体の下枠固定金具が固着され、
前記下枠固定金具は、前記下枠に固着される固着部と、建物躯体の開口部の下内面に載置する載置部を有し、
前記下枠の被規制部を施工治具の規制部よりも室内側に位置させた状態で建物躯体の開口部の下内面に下枠固定金具の載置部を載置して建具枠を建物躯体に仮支持し、前記下枠固定金具を建物躯体に固定したことを特徴とする建具。
【請求項２】
施工治具は、取付部と、この取付部よりも上方に突出して規制部となる立上り部と、前記取付部よりも下方に突出した垂下部を有し、
建物躯体の室外側面に垂下部を接し、取付部を開口部の下内面に接して固着することで建物躯体に取付けるようにした請求項１記載の建具。
【請求項３】
建具枠を建物躯体の室外側面に固着して取付ける建具であって、
前記建物躯体に、上向きの規制部を有した施工治具を固着し、
前記建具枠の下枠は、垂下片を有した横向部と、この横向部の室内側端に設けられ、前記規制部によって室外側への移動が規制される下向きの被規制部を有し、前記垂下片と横向部と被規制部で下向き凹部を有する形状とし、且つ、下枠とは別体の下枠固定金具が固着され、
前記下枠固定金具は、前記下枠の下向き凹部に嵌まり合うように上向きに突出した固着部と、建物躯体の開口部の下内面に載置する載置部を有し、その固着部が下向き凹部に嵌まり合い、且つ、前記被規制部に固着され、
前記下枠の被規制部を施工治具の規制部よりも室内側に位置させた状態で建物躯体の開口部の下内面に下枠固定金具の載置部を載置して建具枠を建物躯体に仮支持し、前記下枠固定金具を建物躯体に固定したことを特徴とする建具。
【請求項４】
施工治具と下枠固定金具をピースとして相互に干渉しないようにした請求項３記載の建具。
【発明の詳細な説明】
【技術分野】
【０００１】
本発明は、建具枠を建物躯体の室外側面に固着して取付ける建具に関する。
【背景技術】
【０００２】
従来、建具枠を建物躯体の室外側面に固着して取付ける建具が種々提案されている。
例えば、特許文献１に開示されたように、建具枠（サッシ枠）の上枠、下枠、縦枠を建物躯体の室外側面（屋外側面）にネジで固着して取付ける建具（サッシ）が提案されている。
【特許文献１】特開２００６−７０５７９号公報
【発明の開示】
【発明が解決しようとする課題】
【０００３】
前述した従来の建具を建物躯体に取付ける際は、作業者が建具枠を持って上枠、下枠、縦枠を建物躯体の室外側面に押しつけながら、左右方向の位置を調整し、その状態で建具枠を保持してネジ止めするのが一般的である。
このようであるから、建具枠を建物躯体の室外側面に取付ける作業が難しい。特に、建具枠が大型で重量が重い場合に難しい。
【０００４】
本発明の目的は、建具枠を建物躯体の室外側面に簡単に取付けできるようにした建具とすることである。
【課題を解決するための手段】
【０００５】
第１の発明は、建具枠を建物躯体の室外側面に固着して取付ける建具であって、
前記建物躯体の開口部の下内面に、建物躯体の室外側面よりも室外側に突出する上向きの規制部を有した施工治具を固着し、
前記建具枠の下枠は、建物躯体の室外側面における開口部よりも下方に接する取付片と、この取付片よりも上方で取付片よりも室外側寄りに位置し、前記規制部によって室外側への移動が規制される下向きの被規制部を有し、且つ、下枠とは別体の下枠固定金具が固着され、
前記下枠固定金具は、前記下枠に固着される固着部と、建物躯体の開口部の下内面に載置する載置部を有し、
前記下枠の被規制部を施工治具の規制部よりも室内側に位置させた状態で建物躯体の開口部の下内面に下枠固定金具の載置部を載置して建具枠を建物躯体に仮支持し、前記下枠固定金具を建物躯体に固定したことを特徴とする建具である。
【０００７】
第１の発明においては、施工治具は、取付部と、この取付部よりも上方に突出して規制部となる立上り部と、前記取付部よりも下方に突出した垂下部を有し、
建物躯体の室外側面に垂下部を接し、取付部を開口部の下内面に接して固着することで建物躯体に取付けるようにできる。
このようにすれば、施工治具を室内外側方向に位置決めして建物躯体に取付けできるので、その施工治具の立上り部は室内外側方向に位置決めされる。
【０００８】
第２の発明は、建具枠を建物躯体の室外側面に固着して取付ける建具であって、
前記建物躯体に、上向きの規制部を有した施工治具を固着し、
前記建具枠の下枠は、垂下片を有した横向部と、この横向部の室内側端に設けられ、前記規制部によって室外側への移動が規制される下向きの被規制部を有し、前記垂下片と横向部と被規制部で下向き凹部を有する形状とし、且つ、下枠とは別体の下枠固定金具が固着され、
前記下枠固定金具は、前記下枠の下向き凹部に嵌まり合うように上向きに突出した固着部と、建物躯体の開口部の下内面に載置する載置部を有し、その固着部が下向き凹部に嵌まり合い、且つ、前記被規制部に固着され、
前記下枠の被規制部を施工治具の規制部よりも室内側に位置させた状態で建物躯体の開口部の下内面に下枠固定金具の載置部を載置して建具枠を建物躯体に仮支持し、前記下枠固定金具を建物躯体に固定したことを特徴とする建具である。
【０００９】
第２の発明においては、施工治具と下枠固定金具をピースとして相互に干渉しないようにできる。
このようにすれば、下枠の形状を単純とすることができる。
【発明の効果】
【００１０】
第１の発明によれば、下枠の被規制部を施工治具の規制部よりも室内側に位置させた状態で、建物躯体の開口部の下内面に下枠固定金具の載置部を載置して建具枠を建物躯体に仮支持させ、建物躯体に対して下枠を左右方向に位置調整した後に下枠固定金具を建物躯体に固定できる。
したがって、建物躯体に対して下枠を左右方向において位置決め時に室外側への倒れを防止するための施工治具と、建物躯体に対して下枠を固定するための下枠固定金具とを別体で構成した為、下枠に対して施工治具を固定する必要がなくなる。よって、位置調整後に建物躯体に下枠を固定する際、位置ズレが生じ難くなり、建具枠を建物躯体の室外側面に簡単に取付けできる。
しかも、下枠の被規制部が建物躯体の室外側面よりも室外側に位置しているため、建具枠の少なくとも一方の縦枠が開口部よりも側方に位置する場合でも、下枠の被規制部の一部分を除去せずに建具枠を簡単に建物躯体の室外側面に取付けできる。
第２の発明によれば、下枠の被規制部を施工治具の規制部よりも室内側に位置させた状態で、建物躯体の開口部の下内面に下枠固定金具の載置部を載置して建具枠を建物躯体に仮支持させ、建物躯体に対して下枠を左右方向に位置調整した後に下枠固定金具を建物躯体に固定できる。
したがって、建物躯体に対して下枠を左右方向において位置決め時に室外側への倒れを防止するための施工治具と、建物躯体に対して下枠を固定するための下枠固定金具とを別体で構成した為、下枠に対して施工治具を固定する必要がなくなる。よって、位置調整後に建物躯体に下枠を固定する際、位置ズレが生じ難くなり、建具枠を建物躯体の室外側面に簡単に取付けできる。
しかも、下枠の被規制部を下枠固定金具を固着する箇所として兼用できる。
【発明を実施するための最良の形態】
【００１１】
図１と図２に示すように、建具枠１は上枠２と下枠３と左右の縦枠４を備え、その上枠２、下枠３、縦枠４が建物躯体５の室外側面５ａに固着して取付けてある。
前記建具枠１には建具体、例えば内障子６ａと外障子６ｂがスライド自在に装着されている。
前記建具枠１は、前述の内・外障子６ａ，６ｂを装着する障子取付部１ａと、この障子取付部１ａの左右一側方の障子収納部１ｂを有している。
前記障子取付部１ａは建物躯体５の開口部５ｂと対向し、障子収納部１ｂは開口部５ｂよりも側方に延出して内・外障子６ａ，６ｂを障子収納部１ｂに収納することで前記開口部５ｂの略全開口幅を開放でき、全開口タイプの建具（サッシ）としてある。
この実施の形態では、上枠２と下枠３とに亘って竪中骨７を取付けて障子取付部１ａと障子収納部１ｂに区画してある。
また、網戸８がスライド自在に装着してある。
前述した図１、図２は建具の全体構成を理解し易いように概略的に図示してあり、後述する具体形状とは形状、寸法等が相違する。
【００１２】
次に、建具枠の取付けについて詳細に説明する。
前記上枠２は図３に示すように上向きの取付片２ａを有し、下枠３は下向きの取付片３ａを有している。
前記左右の縦枠４は図４に示すように側方向きの取付片４ａを有している。
そして、前記各取付片２ａ，３ａ，４ａが建物躯体５の室外側面５ａにそれぞれ接し、ネジ９でそれぞれ固着してある。
【００１３】
図３と図４に示すように、建物躯体５に施工治具１０が取付けてある。
この施工治具１０は上向きの規制部１０ａを有し、下枠３の室内側部分の被規制部３ｂを規制部１０ａよりも室内側に位置させるとともに、建物躯体５の開口部５ｂの下内面に後述する下枠固定金具３０の載置部（横向部３３）を載置して建具枠１を建物躯体５に仮支持させることで、下枠３が建物躯体５に左右方向（面内方向）に移動可能で、少なくとも室外側に外れないように仮支持される。また、左右方向の位置調整後に下枠３を建物躯体５側（見込み方向室内側）へ寄せることで各取付片２ａ，３ａ，４ａを建物躯体５の室外側面５ａに接することができる。
【００１４】
この状態で建具枠１を、下枠固定金具３０の載置部を建物躯体５の開口部５ｂの下内面に沿って左右に移動して左右方向の位置調整をする。この時下枠３の被規制部３ｂと施工治具１０の規制部１０ａで下枠３が室外側に外れることを防止する。この後に下枠３を建物躯体５側（見込み方向室内側）へ寄せて各取付片２ａ，３ａ，４ａを建物躯体５の室外側面５ａに接し、各取付片２ａ，３ａ，４ａを建物躯体５の室外側面５ａに固定した後、下枠固定用金具３０の載置部を建物躯体５の開口部５ｂにおける下内面にネジ３１で固着することで、建具枠１を建物躯体５に取付ける。
したがって、建具枠１を建物躯体５の室外側面５ａに簡単に取付けできる。
なお、図３の拡大倍率は図４の拡大倍率よりも大きく図示してある。
【００１５】
前記下枠３の取付片３ａは図３に示すように、建物躯体５の室外側面５ａにおける開口部５ｂよりも下方に接する。
前記下枠３の被規制部３ｂは、前記取付片３ａよりも上方で、取付片３ａよりも室外側寄りに位置している。
前記施工治具１０は、建物躯体５の開口部５ｂの下内面に固着され、その規制部１０ａは建物躯体５の室外側面５ａよりも室外側に突出している。
【００１６】
このようであるので、下枠３の被規制部３ｂを、施工治具１０の規制部１０ａよりも室内側且つ建物躯体５の室外側面５ａよりも室外側に位置させた状態で建物躯体５の開口部５ｂの下内面に下枠固定金具３０の載置部（横向部３３）を載置して仮支持し、その後に下枠３の取付片３ａを建物躯体５の室外側面５ａに接してネジ９で固着し、更に下枠固定金具３０を建物躯体５の開口部５ｂにおける下内面にネジ３１で固着して取付けできる。
したがって、下枠３の被規制部３ｂが建物躯体５の室外側面５ａに接しないようにできるから、建具枠１の一方の縦枠４が開口部５ｂよりも側方に位置する前述した全開口タイプの建具であっても、その建具枠１を建物躯体５の室外側面５ａに簡単に取付けできる。
【００１７】
要するに、前述した全開口タイプの建具の場合には、その建具枠１の下枠３の長手方向全長を開口部５ｂ内に突出できないので、被規制部３ｂが取付片３ａよりも室内側に突出していると、その被規制部３ｂにおける開口部５ｂよりも側方部分を切断等して除去する必要があるが、前述のようにすることで、被規制部３ｂを切断等しないで取付けできる。
【００１８】
次に、下枠３の被規制部３ｂと施工治具１０の詳細を説明する。
前記下枠３の被規制部３ｂは図５に示すように、下枠３の室内側から垂下して形成された縦向部２１である。
好ましくは、垂下片２２を有した横向部２０の室内側端から下方に伸びて縦向部２１（被規制部３ｂ）が形成され、垂下片２２と横向部２０と縦向部２１とで下向き凹部２３を形成している。この下向き凹部２３の縦向部２１よりも室外側に施工治具１０の規制部１０ａが位置することで、下枠３が施工治具１０に対して左右方向には移動可能（位置調整可能）な状態で室外側へは倒れないようにしてある。
【００１９】
このようであるから、建具枠１を斜めの姿勢として下枠３の下向き凹部２３の縦向部２１を規制部１０ａよりも室内側に位置するように、下枠固定金具３０の載置部を開口部５ｂの下内面に載置して仮支持し、その状態で建具枠１の上部を室内側に向けて回動して垂直姿勢とすることで取付片２ａ，４ａを建物躯体５の室外側面５ａに接する時や、下枠３を建物躯体５に対して左右方向に位置調整する時に、下枠３が建物躯体５から室外側へ外れることがなく、それらの作業が容易となる。
【００２０】
前記施工治具１０は図５と図６に示すように、取付部１１と、この取付部１１よりも上方に突出した規制部１０ａとしての立上り部１２と、前記取付部１１よりも下方に突出した垂下部１３を有している。
例えば、１枚の板材を加工して前記取付部１１となる横向板の一端縁に、前記立上り部１２となる上向き片と前記垂下部１３となる下向片を有する形状としてある。
前記取付部１１を建物躯体５の開口部５ｂの下内面に接すると共に、前記垂下部１３を建物躯体５の室外側面５ａに接して室内外側方向（見込み方向）に位置決めし、前記取付部１１をネジ１４で下内面に固着して取付ける。
【００２１】
このようであるから、施工治具１０を室内外側方向に位置決めして取付けできるので、その立上り部１２（規制部１０ａ）の室内外側方向の位置を所定の位置とすることができる。
図５においては、下枠３の下向き凹部２３と立上り部１２が離れているが、これは左右方向の位置調整後に下枠３を建物躯体５側（見込み方向室内側）へ引き寄せたことで建具枠１が室内側に僅かに動いたためである。また、立上がり部１２の上端が横向部２０や垂下片２２と離れているため、左右方向の位置調整時においてこれらが金属接触することがなく、調整し易くなっている。
【００２２】
前記下枠３には図４と図７に示すように下枠固定金具３０が取付けてある。
この下枠固定金具３０の載置部（横向部３３）を建物躯体５の開口部５ｂにおける下内面に接してネジ３１で固着してある。
このようであるから、下枠３を建物躯体５に強固にしっかりと取付けできる。
【００２３】
前記下枠固定用金具３０は、図７に示すように固着部としての縦向部３２と載置部としての横向部３３を有し、その縦向部３２を下枠３の取付部３ｃにネジ３４で固着して取付け、横向部３３を前記開口部５ｂの下内面に接してネジ３１で固着して取付ける。
前記下枠３の取付部３ｃは、取付片３ａの上方で、建物躯体５の室外側面５ａよりも室外側寄りである。
【００２４】
前記下枠３の取付部３ｃは、前述の被規制部３ｂと同一としてある。
そして、前述の被規制部３ｂの下向き凹部２３に縦向部３２を嵌め合わせ、縦向部２１の室外側面に接してネジ３４で固着される。
このように、下枠３の取付部３ｃと被規制部３ｂが同一であるから下枠３の形状を単純にできる。
また、前述の施工治具１０と下枠固定用金具３０をピース（下枠３の長手方向に向かう寸法が短いもの）とし、開口部５ｂの下内面に左右方向に間隔を置いて固着し、相互に干渉しないようにしてある。
【００２５】
図３、図４において、上枠２、下枠３、一方の縦枠４には補助部材２ｂ，３ｄ，４ｂが固着され、この補助部材２ｂ，３ｄ，４ｂと竪中骨７には建物躯体５の開口部５ｂ内に突出する横向片２ｃ，３ｅ，４ｃ，７ａを有し、その各横向片２ｃ，３ｅ，４ｃ，７ａに額縁４０がそれぞれネジ４１で固着して取付けてある。
また、図３、図４においては内・外障子６ａ，６ｂ、網戸８が省略してある。
【００２６】
前述の実施の形態では障子収納部１ｂを有した全開口タイプの建具としてあるが、これに限ることはなく障子取付部１ａのみを有する建具でも良い。
また、内・外障子６ａ，６ｂをスライド自在に装着した建具としたが、これに限ることはなく、障子を室内外側方向に回動自在に装着した建具などでも良い。
また、下枠３の被規制部３ｂと取付部３ｃを同一としたが、被規制部３ｂと取付部３ｃを別々としても良い。
【図面の簡単な説明】
【００２７】
【図１】本発明の実施の形態を示す全開口タイプの建具の概略内観図である。
【図２】図１のＡ−Ａ断面図である。
【図３】図１の詳細拡大縦断面図である。
【図４】図１の詳細拡大横断面図である。
【図５】図４のＢ−Ｂ拡大断面図である。
【図６】施工治具の斜視図である。
【図７】図４のＣ−Ｃ拡大断面図である。
【符号の説明】
【００２８】
１…建具枠、２…下枠、２ａ…取付片、３…上枠、３ａ…取付片、３ｂ…被規制部材、３ｃ…取付部、４…縦枠、４ａ…取付片、５…建物躯体、５ａ…室外側面、５ｂ…開口部、９…ネジ、１０…施工治具、１０ａ…規制部、１１…取付部、１２…立上り部、１３…垂下部、１４…ネジ、２０…横向部、２１…縦向部、２３…下向き凹部、３０…下枠固定金具、３１…ネジ、３２…縦向部（固着部）、３３…横向部（載置部）、３４…ネジ。
【図１】
0004868415.tif 000002
【図２】
0004868415.tif 000003
【図３】
0004868415.tif 000004
【図４】
0004868415.tif 000005
【図５】
0004868415.tif 000006
【図６】
0004868415.tif 000007
【図７】
0004868415.tif 000008